(57)【特許請求の範囲】
【請求項１】
一つ以上の移動端末と、品質監視装置とからなり、
前記移動端末は、
少なくとも自端末の移動速度と無線通信の通信品質とを測定する測定手段と、移動速度情報と通信品質情報とを含む端末情報を送信する通信手段とを備え、
前記品質監視装置は、
前記一つ以上の移動端末から端末情報を収集する端末情報収集手段と、収集された端末情報に基づいて所定の対象エリアにおける通信品質の監視を移動端末の移動速度区分ごとに行う分析手段とを備えることを特徴とする無線通信網の品質監視システム。
【請求項２】
請求項１記載の無線通信網の品質監視システムにおいて、
前記品質監視装置の分析手段は、
前記一つ以上の移動端末から収集された端末情報を記憶する端末情報記憶手段と、
この端末情報記憶手段に記憶された端末情報に含まれる移動速度情報に基づいて、所定の対象エリアに存在する移動端末の端末情報を移動速度区分別に分類する端末情報分類手段と、
前記移動速度区分別に分類された端末情報から、所定の対象エリアにおける移動速度区分別の品質統計値を求める品質分析手段とを備えることを特徴とする無線通信網の品質監視システム。
【請求項３】
請求項２記載の無線通信網の品質監視システムにおいて、
前記移動端末の測定手段は、
自端末の移動速度を測定する速度測定手段と、
無線通信の通信品質を測定する品質測定手段と、
自端末の位置を測定する測位手段とを備え、
前記移動端末の通信手段は、移動速度情報と通信品質情報と位置情報とを含む端末情報を送信し、
前記品質監視装置の端末情報分類手段は、前記端末情報記憶手段に記憶された端末情報に含まれる位置情報に基づいて、所定の対象エリアに存在する移動端末の端末情報を前記端末情報記憶手段から取得することを特徴とする無線通信網の品質監視システム。
【請求項４】
請求項２記載の無線通信網の品質監視システムにおいて、
前記通信品質情報は、呼処理の種別と、呼処理の成功失敗種別と、パケット転送スループットと、パケット転送遅延の各情報のうち少なくとも一つを含むことを特徴とする無線通信網の品質監視システム。
【請求項５】
請求項２記載の無線通信網の品質監視システムにおいて、
前記端末情報は、さらに通信種別情報を含み、
前記品質監視装置の品質分析手段は、前記端末情報記憶手段に記憶された端末情報に含まれる通信種別情報を参照して、通信種別毎に移動速度区分別の品質統計値を求めることを特徴とする無線通信網の品質監視システム。
【請求項６】
請求項５記載の無線通信網の品質監視システムにおいて、
前記通信種別情報は、音声通信、パケット通信、ストリーミング通信のいずれかを表すことを特徴とする無線通信網の品質監視システム。
【請求項７】
請求項２記載の無線通信網の品質監視システムにおいて、
前記品質監視装置は、さらに品質分析条件を入力する入力手段を備え、
前記端末情報分類手段は、前記品質分析条件に該当する端末情報を前記端末情報記憶手段から取得し、取得した端末情報を移動速度区分別に分類することを特徴とする無線通信網の品質監視システム。
【請求項８】
請求項７記載の無線通信網の品質監視システムにおいて、
前記品質分析条件は、移動速度区分、対象エリア、対象期間を指定することを特徴とする無線通信網の品質監視システム。
【請求項９】
請求項２記載の無線通信網の品質監視システムにおいて、
前記品質監視装置は、さらに所定の対象エリアにおける移動速度区分別の品質統計値、およびこの移動速度区分別の品質統計値の時系列のグラフを出力する出力手段を備えることを特徴とする無線通信網の品質監視システム。
【請求項１０】
一つ以上の移動端末から少なくとも移動速度情報と通信品質情報とを含む端末情報を収集する端末情報収集手段と、
収集された端末情報に基づいて所定の対象エリアにおける通信品質の監視を移動端末の移動速度区分ごとに行う分析手段とを備えることを特徴とする無線通信網の品質監視装置。
【請求項１１】
請求項１０記載の無線通信網の品質監視装置において、
前記分析手段は、
前記一つ以上の移動端末から収集された端末情報を記憶する端末情報記憶手段と、
この端末情報記憶手段に記憶された端末情報に含まれる移動速度情報に基づいて、所定の対象エリアに存在する移動端末の端末情報を移動速度区分別に分類する端末情報分類手段と、
前記移動速度区分別に分類された端末情報から、所定の対象エリアにおける移動速度区分別の品質統計値を求める品質分析手段とを備えることを特徴とする無線通信網の品質監視装置。
【請求項１２】
請求項１１記載の無線通信網の品質監視装置において、
前記端末情報は、さらに位置情報を含み、
前記端末情報分類手段は、前記端末情報記憶手段に記憶された端末情報に含まれる位置情報に基づいて、所定の対象エリアに存在する移動端末の端末情報を前記端末情報記憶手段から取得することを特徴とする無線通信網の品質監視装置。
【請求項１３】
請求項１１記載の無線通信網の品質監視装置において、
前記通信品質情報は、呼処理の種別と、呼処理の成功失敗種別と、パケット転送スループットと、パケット転送遅延の各情報のうち少なくとも一つを含むことを特徴とする無線通信網の品質監視装置。
【請求項１４】
請求項１１記載の無線通信網の品質監視装置において、
前記端末情報は、さらに通信種別情報を含み、
前記品質分析手段は、前記端末情報記憶手段に記憶された端末情報に含まれる通信種別情報を参照して、通信種別毎に移動速度区分別の品質統計値を求めることを特徴とする無線通信網の品質監視装置。
【請求項１５】
請求項１４記載の無線通信網の品質監視装置において、
前記通信種別情報は、音声通信、パケット通信、ストリーミング通信のいずれかを表すことを特徴とする無線通信網の品質監視装置。
【請求項１６】
請求項１１記載の無線通信網の品質監視装置において、
さらに、品質分析条件を入力する入力手段を備え、
前記端末情報分類手段は、前記品質分析条件に該当する端末情報を前記端末情報記憶手段から取得し、取得した端末情報を移動速度区分別に分類することを特徴とする無線通信網の品質監視装置。
【請求項１７】
請求項１６記載の無線通信網の品質監視装置において、
前記品質分析条件は、移動速度区分、対象エリア、対象期間を指定することを特徴とする無線通信網の品質監視装置。
【請求項１８】
請求項１１記載の無線通信網の品質監視装置において、
さらに、所定の対象エリアにおける移動速度区分別の品質統計値、およびこの移動速度区分別の品質統計値の時系列のグラフを出力する出力手段を備えることを特徴とする無線通信網の品質監視装置。
【請求項１９】
一つ以上の移動端末が少なくとも自端末の移動速度と無線通信の通信品質とを測定する測定手順と、
前記移動端末が移動速度情報と通信品質情報とを含む端末情報を送信する送信手順と、
品質監視装置が前記一つ以上の移動端末から端末情報を収集する端末情報収集手順と、
前記品質監視装置が収集した端末情報に基づいて所定の対象エリアにおける通信品質の監視を移動端末の移動速度区分ごとに行う分析手順とを備えることを特徴とする無線通信網の品質監視方法。
【発明の詳細な説明】
【技術分野】
【０００１】
本発明は、無線通信網の品質監視システムに係り、特に移動端末の移動速度区分ごとに通信品質を監視することが可能な無線通信網の品質監視システム、品質監視装置、品質監視方法に関するものである。
【背景技術】
【０００２】
無線通信網では、呼処理のログを網側通信装置に記憶しておき、このログから算出する通信品質の指標値によって品質監視を行うことが一般的である。
一例として、３ＧＰＰ（3rd Generation Partnership Program）の仕様に基づく移動通信網の無線基地局制御装置は、文献「3GPP TS 32.403、"Telecommunication management; Performance Management (PM); Performance measurements - UMTS and combined UMTS/GSM (Release 7)"、2005」（以下、文献１という）に規定されているように、制御プレーン上で移動端末とやり取りされる呼処理のログとして、無線アクセスベアラの確立やハンドオーバなどの試行回数、失敗回数などを無線セル毎に測定して記録する。そして、無線基地局制御装置は、これらの測定値から、文献「3GPP TS 32.410、"Telecommunication management; Key Performance Indicators (KPI) for UMTS and GSM (Release 8)"、2008」（以下、文献２という）に規定されている、無線アクセスベアラの確立失敗率やハンドオーバの失敗率などの品質評価指標（Key Performance Indicator;KPI）値を求め、品質監視に用いている。【０００３】
一方、網側通信装置ではなく、移動端末側で品質情報の測定を行い、ユーザプレーンでの伝送によりその品質情報をサーバが収集し、サーバが通信品質監視を行う技術も知られている。
例えば、特開２００８−１０９５７１号公報に開示されたシステムでは、移動端末から収集したネットワーク品質情報を単位エリア毎に統計処理し、単位エリア毎の品質統計値を算出して品質監視に用いている。【０００４】
また、移動端末が通信品質制御を行う技術も知られている。例えば、特開２００８−０９２４２１号公報に開示された移動体通信システムでは、移動端末が自端末の移動速度を検出し、検出した移動速度に基づいて、無線基地局と無線通信を行う通信データフォーマットを決定するようにしている。
【発明の開示】
【発明が解決しようとする課題】
【０００５】
一般に、無線基地局の設置場所や無線基地局のアンテナチルト角の調整といった無線エリア設計を行う際には、無線エリア内のユーザの移動特性を考慮して最適化を図ると、通信品質が向上できる場合がある。例えば、セルラ方式の移動通信網では、ユーザが無線セル間を移動する際にハンドオーバを行うことで通信を持続する。ハンドオーバを実行するための無線セル間の重複領域（オーバラップ領域）の設計は、当該領域付近を移動するユーザの移動速度分布に応じて行われる。高速移動するユーザが多い国道沿いなどでは、ハンドオーバ処理が間に合うように無線セル間のオーバラップ領域を余分に確保しておく必要がある。【０００６】
しかしながら、文献１、文献２、特開２００８−１０９５７１号公報に開示された品質監視システムでは、ユーザの移動速度と通信品質との関係を確認することができないため、ユーザの移動特性に合わせた無線エリア設計が適切に行われているか否かを判断することができないという問題点があった。すなわち、文献１、文献２、特開２００８−１０９５７１号公報に開示された何れの技術も、品質統計値を算出する際に移動端末の速度を考慮していないため、通信品質の劣化が生じている場合に、その通信品質の劣化がユーザの移動特性に起因する問題であるか否かの判断を行うことができない。【０００７】
一方、特開２００８−０９２４２１号公報に開示されたシステムでは、移動端末の移動による通信品質の変動を考慮している。ただし、特開２００８−０９２４２１号公報に開示されたシステムでは、移動端末の移動速度と通信品質との対応関係は予め定義されており、事前に定義された関係を使うことを想定している。すなわち、特開２００８−０９２４２１号公報に開示されたシステムでは、移動端末の移動速度と通信データフォーマットとの関係を移動端末に予め記憶させておき、移動端末が測定した自端末の移動速度から通信データフォーマットを決定するようにしている。このため、特開２００８−０９２４２１号公報に開示されたシステムでは、移動端末の移動速度と通信品質との対応関係を無線エリアごとに監視することができず、例えば無線セル間のオーバラップ領域などの無線エリア設計が、無線エリア内のユーザの移動特性を考慮して適切に行われているかどうかを判断することはできない。【０００８】
本発明は、上記課題を鑑みてなされたものであって、その目的は、無線通信網における品質監視システムにおいて、移動端末の移動速度と通信品質との対応関係をエリアごとに監視可能とすることにある。
【課題を解決するための手段】
【０００９】
本発明の無線通信網の品質監視システムは、一つ以上の移動端末と、品質監視装置とからなり、前記移動端末は、少なくとも自端末の移動速度と無線通信の通信品質とを測定する測定手段と、移動速度情報と通信品質情報とを含む端末情報を送信する通信手段とを備え、前記品質監視装置は、前記一つ以上の移動端末から端末情報を収集する端末情報収集手段と、収集された端末情報に基づいて所定の対象エリアにおける通信品質の監視を移動端末の移動速度区分ごとに行う分析手段とを備えることを特徴とするものである。【００１０】
本発明の無線通信網の品質監視装置は、一つ以上の移動端末から少なくとも移動速度情報と通信品質情報とを含む端末情報を収集する端末情報収集手段と、収集された端末情報に基づいて所定の対象エリアにおける通信品質の監視を移動端末の移動速度区分ごとに行う分析手段とを備えることを特徴とするものである。【００１１】
本発明の無線通信網の品質監視方法は、一つ以上の移動端末が少なくとも自端末の移動速度と無線通信の通信品質とを測定する測定手順と、前記移動端末が移動速度情報と通信品質情報とを含む端末情報を送信する送信手順と、品質監視装置が前記一つ以上の移動端末から端末情報を収集する端末情報収集手順と、前記品質監視装置が収集した端末情報に基づいて所定の対象エリアにおける通信品質の監視を移動端末の移動速度区分ごとに行う分析手順とを備えることを特徴とするものである。
【発明の効果】
【００１２】
本発明によれば、移動端末の移動速度に応じて端末情報を分類し、移動速度区分毎の品質統計値を求めることにより、移動端末の移動速度と通信品質との関係を把握することが可能となり、通信品質の劣化が生じている場合に、その通信品質の劣化が当該エリアにおけるユーザの移動特性に起因する問題であるか否かを判断することが可能になる。また、無線セル間のオーバラップ領域などの無線エリア設計が適切に行われているかどうかに依存して、移動端末の移動速度と通信品質との対応関係は変化するが、本発明では、移動端末から収集した端末情報を基に、移動端末の移動速度と通信品質との対応関係をエリアごとに分析することができる。その結果、本発明では、当該エリアにおけるユーザの移動特性に合わせた無線エリア設計が適切に行われているか否かを判断することが可能になる。
【図面の簡単な説明】
【００１３】
【図１】図１は、本発明の第１実施例における移動通信網の構成を示すブロック図である。
【図２】図２は、本発明の第１実施例における移動通信網の品質監視動作の一例を示すフローチャートである。
【図３】図３は、本発明の第２実施例における移動通信網の構成を示すブロック図である。
【図４】図４は、本発明の第２実施例における移動端末の構成を示すブロック図である。
【図５】図５は、本発明の第２実施例における品質監視装置の構成を示すブロック図である。
【図６】図６は、本発明の第２実施例において端末情報記憶部によって記憶される端末情報の一例を示す図である。
【図７】図７は、本発明の第２実施例において端末情報記憶部によって記憶される端末情報の他の例を示す図である。
【図８】図８は、本発明の第２実施例における品質監視装置の動作の一例を示すフローチャートである。
【図９】図９は、本発明の第２実施例における品質分析結果の出力画面例を示す図である。
【図１０】図１０は、本発明の第３実施例における品質監視装置の動作の一例を示すフローチャートである。
【発明を実施するための最良の形態】
【００１４】
［第１実施例］
本発明を実施するための第１実施例について、図面を参照して詳細に説明する。図１は、本発明の第１実施例における移動通信網の構成を示すブロック図である。移動端末１は、無線通信機能を備えたものであり、少なくとも自端末の移動速度と無線通信の通信品質とを測定する測定部２と、移動速度情報と通信品質情報とを含む端末情報を送信する通信部３とを備える。【００１５】
測定部２は、自端末の移動速度を測定する。移動速度は、一般的な速度センサ・加速度センサによって測定することができる。また、例えば全地球測位システム（Global Positioning System; GPS）によって自端末の位置を測定し、位置の時間微分によって、自端末の移動速度を求めることも可能である。
さらに、測定部２は、無線通信の通信品質を測定する。通信品質の項目としては、音声通信やパケット通信またはストリーミング通信といった通信種別と、無線アクセスベアラの確立や解放またはハンドオーバといった呼処理の種別と、呼処理の成功失敗種別と、パケット転送スループットと、パケット転送遅延などがある。【００１６】
通信部３は、測定部２が測定した移動速度の情報と通信品質の情報とを含む端末情報を品質監視装置４宛に送信する。移動端末１と品質監視装置４との間には、通信を中継する無線基地局（不図示）や移動通信コア網（不図示）などが存在しても構わないことは言うまでもない。また、通信部３は、端末情報の送信時に、自端末を識別するための端末識別情報などを端末情報に付加して送信してもよい。【００１７】
品質監視装置４は、移動端末１から送信される端末情報を収集する端末情報収集部５と、収集された端末情報に基づいて所定の対象エリアにおける通信品質の監視を移動端末の移動速度区分ごとに行う分析部６とを備える。なお、図１では便宜上一つの移動端末１のみが示されているが、実際にはエリアに存在する複数の移動端末１を対象にすることができる。【００１８】
［動作の説明］
次に、第１実施例における移動通信網の品質監視動作を図２のフローチャートを参照して説明する。
移動端末１の測定部２は、自端末の移動速度と無線通信の通信品質とを測定する（ステップＳ１）。
移動端末１の通信部３は、移動速度情報と通信品質情報とを含む端末情報を品質監視装置４宛に送信する（ステップＳ２）。【００１９】
品質監視装置４の端末情報収集部５は、移動端末１から送信された端末情報を収集する（ステップＳ３）。
品質監視装置４の分析部６は、端末情報収集部５が収集した端末情報から所定の対象エリアに存在する移動端末の端末情報を取得し、この取得した端末情報を移動速度区分別に分類して、移動速度区分別の品質統計値を求める（ステップＳ４）。移動速度区分とは、例えば時速０ｋｍ以上５ｋｍ未満、時速５ｋｍ以上２０ｋｍ未満、時速２０ｋｍ以上６０ｋｍ未満、時速６０ｋｍ以上１００ｋｍ未満、時速１００ｋｍ以上などのように移動速度範囲を分けることを意味する。予め定められる対象エリアとしては、無線基地局による通信サービス提供範囲である無線セルや、特定の都道府県や市区町村、特定の矩形領域などが考えられる。【００２０】
最後に、分析部６は、品質分析結果をディスプレイ等の出力装置を介して出力し、品質分析処理を終了する（ステップＳ５）。【００２１】
以上のように、本発明の第１実施例では、移動端末の移動速度に応じて端末情報を分類し、移動速度区分毎の品質統計値を求める。これにより、移動端末の移動速度と通信品質との関係を把握することが可能となり、通信品質の劣化が生じている場合に、その通信品質の劣化が当該エリアにおけるユーザの移動特性に起因する問題であるか否かを判断することが可能となる。【００２２】
さらに、本発明の第１実施例では、移動端末の移動速度と通信品質との対応関係が無線エリアによって変化することを前提としており、移動端末から収集した端末情報を基に、移動端末の移動速度と通信品質との対応関係を無線エリアごとに分析することができる。すなわち、本発明の第１実施例は、無線セル間のオーバラップ領域などの無線エリア設計が適切に行われているかどうかに依存して、移動端末の移動速度と通信品質との対応関係が変化する点を考慮し、移動端末の移動速度と通信品質との対応関係をエリアごとに監視することを可能とする。【００２３】
一方、特開２００８−０９２４２１号公報に開示されたシステムでは、移動速度毎の品質統計値をエリアごとに分析することはしていない。すなわち、特開２００８−０９２４２１号公報に開示されたシステムでは、移動端末の移動速度と通信品質との対応関係はエリアによらずに固定であり、事前に定義された対応関係を使うことを想定している。このため、特開２００８−０９２４２１号公報に開示されたシステムでは、移動端末の移動速度と通信品質との対応関係を無線エリアごとに監視することはできず、当該エリアにおけるユーザの移動特性に合わせた無線エリア設計が適切に行われているかどうかを判断することはできない。【００２４】
［第２実施例］
次に、本発明を実施するための第２実施例について、図面を参照して詳細に説明する。第２実施例は、第１実施例をより具体的に説明するものであり、第１実施例をセルラ方式の移動通信網に適用するための実施例である。ただし、本発明はセルラ方式の移動通信網に限定されるものではなく、他の無線通信網、例えば無線ＬＡＮ（Local Area Network）網やＷｉＭＡＸ（Worldwide Interoperability for Microwave Access）網などへも適用可能である。【００２５】
［構成の説明］
図３は、本発明の第２実施例に係る移動通信網の構成を示すブロック図である。無線セル１０は、無線基地局２０による通信サービス提供範囲であり、無線セル１１は無線基地局２１による通信サービス提供範囲である。無線セル１０に存在する移動端末３０は、無線リンク４０を介して無線基地局２０と通信を行う。移動端末３０が通信中に無線セル１０から無線セル１１へと移動する場合、無線セル１０と無線セル１１のオーバラップ領域５０においてハンドオーバが行われ、移動端末３０は無線リンク４１を介して無線基地局２１と接続される。【００２６】
無線基地局制御装置６０は、配下の無線基地局２０，２１とそれぞれ有線リンク７０，７１を介して接続され、無線基地局２０，２１と通信トラフィックおよび制御トラフィックの送受信を行う。また、無線基地局制御装置６０は、移動通信コア網８０と有線リンク７２を介して接続され、通信トラフィックおよび制御トラフィックの送受信を行う。【００２７】
品質監視装置９０は、移動通信コア網８０と有線リンク７３を介して接続され、移動端末３０から送信される端末情報を収集して、通信品質の監視を行う。なお、品質監視装置９０は、無線基地局制御装置６０や図示しない外部網と接続されていてもよく、無線基地局制御装置６０や外部網を介して移動端末３０から端末情報を収集するようにしてもよい。【００２８】
続いて、第２実施例における移動端末３０と品質監視装置９０の構成について説明する。なお、図３におけるその他の構成要素については、本発明と直接関係しないため、詳細な説明を省略する。【００２９】
移動端末３０の構成について図４を参照して説明する。移動端末３０は、自端末の位置を測定する測位部３０１と、自端末の移動速度を測定する速度測定部３０２と、無線通信の通信品質を測定する品質測定部３０３と、測位部３０１と速度測定部３０２と品質測定部３０３とが測定した測定情報を記憶する測定情報記憶部３０４と、無線リンクを介して無線基地局と接続するための通信部３０５とを備える。測位部３０１と速度測定部３０２と品質測定部３０３とは、測定手段を構成しており、図１の測定部２に相当するものである。【００３０】
測位部３０１は、ＧＰＳによって自端末の位置を測定するか、あるいは複数の無線基地局からの到来電波の到達時間差とこれらの無線基地局の位置に基づいて自端末の位置を計算によって求める。
速度測定部３０２は、一般的な速度センサ・加速度センサや、測位部３０１によって測定される位置の時間微分によって、自端末の移動速度を測定する。【００３１】
品質測定部３０３は、通信品質を測定する。品質測定部３０３が測定する項目としては、音声通信やパケット通信またはストリーミング通信といった通信種別と、無線アクセスベアラの確立や解放またはハンドオーバなどの呼処理種別と、無線アクセスベアラの確立や解放またはハンドオーバなどの呼処理が正常に完了したか否かを示す成功失敗種別と、パケット転送スループットと、パケット転送遅延とがある。【００３２】
測定情報記憶部３０４は、測位部３０１と速度測定部３０２と品質測定部３０３とによる測定情報を互いに対応付けて記憶する手段である。すなわち、測定情報記憶部３０４は、品質測定部３０３による品質測定時の位置および移動速度を測位部３０１および速度測定部３０２から取得し、位置および移動速度を品質測定部３０３が測定した品質情報と対応付けて記憶する。なお、位置、移動速度については、通信開始時からＮ秒間の平均値、通信終了前Ｎ秒間の平均値、通信の開始から終了までの平均値、ハンドオーバなどの呼処理イベント発生直前や直後のＮ秒間の平均値などを用いることができる。通常は、位置、移動速度の値として、それぞれ測位部３０１、速度測定部３０２が通信終了前Ｎ秒間に測定した位置、移動速度の平均値を採用すればよい。【００３３】
通信部３０５は、無線リンクを介して無線基地局と接続し、無線通信を行うための手段である。通信部３０５は、測定情報記憶部３０４に記憶された情報と無線基地局から受信したスクランブルコード（Scrambling Code）とを端末情報として品質監視装置９０宛に送信する。この端末情報の送信については、一定周期毎、端末ユーザの指定時、通信終了時、ハンドオーバ直後、品質監視装置９０からの指示時などの時期を送信時期として設定することができる。また、通信部３０５は、端末情報の送信時に、自端末を識別するための端末識別情報などを端末情報に付加して送信してもよい。【００３４】
次に、品質監視装置９０の構成について図５を参照して説明する。品質監視装置９０は、移動端末３０から送信される端末情報を収集する端末情報収集部９０１と、収集した端末情報を記憶する端末情報記憶部９０２と、移動端末３０の移動速度区分に応じて端末情報を分類する端末情報分類部９０３と、移動速度区分毎に端末情報を集計し、移動速度区分毎の品質統計値を求める品質分析部９０４と、品質分析の指示や品質分析のための条件を入力する入力部９０５と、品質分析部９０４の品質分析の結果を出力する出力部９０６とを備える。端末情報記憶部９０２と端末情報分類部９０３と品質分析部９０４と入力部９０５と出力部９０６とは、分析手段を構成しており、図１の分析部６に相当するものである。【００３５】
端末情報記憶部９０２によって記憶される端末情報の一例を図６に示す。図６の例では、端末情報記憶部９０２は、端末情報として、移動端末において端末情報を測定した日時、位置情報、スクランブルコード（Scrambling Code）、移動速度、通信種別（ストリーミング、パケット、音声など）、呼処理種別（無線アクセスベアラ確立、無線アクセスベアラ解放、ハンドオーバなど）、呼処理の成功失敗種別を記憶する。【００３６】
位置情報としては緯度経度の他に、地平直交座標や住所を用いてもよい。
また、スクランブルコードは、３ＧＰＰの仕様に基づく移動通信網の場合、報知チャネル（Broadcast Channel; BCH）によって無線セル内にブロードキャスト送信される。このスクランブルコードは、位置エリアコード（Location Area Code）やルーティングエリアコード（Routing Area Code）と組み合わせることによって、移動端末３０が存在する無線セルを一意に識別する位置情報として用いることができる。【００３７】
端末情報記憶部９０２によって記憶される端末情報の他の例を図７に示す。図７の例では、端末情報記憶部９０２は、端末情報として、移動端末において端末情報を測定した日時、位置情報、スクランブルコード、移動速度に加えて、パケット通信時のパケットスループット、パケット転送遅延を記憶している。【００３８】
［動作の説明］
次に、第２実施例における品質監視装置９０の動作を図８のフローチャートを参照して説明する。
品質監視装置９０の端末情報収集部９０１は、移動通信網に存在する移動端末３０から端末情報を収集する（ステップＳ１０１）。なお、図３では便宜上一つの移動端末３０のみが示されているが、実際にはエリアに存在する複数の移動端末１を対象にすることができる。上述したとおり、一定周期毎、端末ユーザの指定時、通信終了時、ハンドオーバ直後、品質監視装置９０からの指示時などの時期を端末情報の送信時期として設定することができる。この設定は、端末情報収集部９０１から移動端末３０に対して行うことが可能である。また、端末情報収集部９０１は、特定のエリア（例えば特定の無線セルや、特定の無線基地局制御装置の支配下の領域、特定の都道府県や市区町村、特定の矩形領域）に存在する移動端末のみに限定して端末情報を収集してもよい。【００３９】
端末情報収集部９０１によって収集された端末情報は、端末情報記憶部９０２に記憶される。
次に、品質監視装置９０のオペレータは、入力部９０５を介して品質分析のための条件（品質分析条件）を入力する（ステップＳ１０２）。品質分析条件としては、移動速度区分、対象エリア、対象期間などがある。例えば、移動速度区分については、時速０ｋｍ以上５ｋｍ未満、時速５ｋｍ以上２０ｋｍ未満、時速２０ｋｍ以上６０ｋｍ未満、時速６０ｋｍ以上１００ｋｍ未満、時速１００ｋｍ以上、などのように移動速度範囲を指定する。また、対象エリアについては、特定の無線セルや、特定の無線基地局制御装置６０の支配下の領域、特定の都道府県や市区町村、特定の矩形領域などを指定する。対象期間については、分析対象とする端末情報の測定日時の範囲を指定する。【００４０】
次に、端末情報分類部９０３は、入力部９０５から入力された品質分析条件に従い、対象エリアかつ対象期間内の端末情報を端末情報記憶部９０２から取得し、取得した端末情報を、端末情報に含まれる移動速度情報に応じて移動速度区分別に分類する（ステップＳ１０３）。【００４１】
次に、品質分析部９０４は、端末情報分類部９０３から移動速度区分別に分類された端末情報を受け取り、端末情報から移動速度区分別の品質統計値を求める（ステップＳ１０４）。
最後に、出力部９０６は、品質分析部９０４による品質分析結果をディスプレイ等の出力装置を介して出力し、品質分析処理を終了する（ステップＳ１０５）。【００４２】
図９に出力部９０６による品質分析結果の出力例を示す。図９は品質分析結果を表示した画面を示すものである。画面９０７には、品質分析条件として入力された対象エリア９０７１と、対象期間９０７２と、移動速度区分９０７３とが表示され、また移動速度区分別に分類されたハンドオーバ試行数９０７４と、移動速度区分別に分類されたハンドオーバ失敗数９０７５とが表示される。さらに、移動速度区分別のハンドオーバ失敗数を移動速度区分別のハンドオーバ試行数で除算することにより算出された移動速度区分別の品質統計値であるハンドオーバ失敗率９０７６が表示される。また、画面９０７の下部には、当該対象期間の１日単位のハンドオーバ失敗率を移動速度区分別に算出した時系列グラフ９０７７が表示される。【００４３】
なお、図９の例では、品質統計値の一例としてハンドオーバ失敗率を取り上げたが、品質分析部９０４は、ハンドオーバ失敗率と同様の方法により、無線アクセスベアラの確立失敗率や無線アクセスベアラの解放失敗率などを移動速度区分別に品質統計値として算出することが可能である。また、品質分析部９０４は、パケット転送スループット、パケット転送遅延などについても移動速度区分別の品質統計値として扱うことが可能である。パケット転送スループットおよびパケット転送遅延は移動端末３０で測定されるものなので、品質統計値としてパケット転送スループットやパケット転送遅延を用いる場合には、複数の移動端末から収集される端末情報を移動速度区分別に分類し、移動速度区分ごとにパケット転送スループットやパケット転送遅延の平均値を求めるなどすればよい。【００４４】
以上のようにして、本発明の第２実施例では、第１実施例で説明した効果を得ることができる。【００４５】
［第３実施例］
次に、本発明を実施するための第３実施例について、図面を参照して詳細に説明する。第３実施例は、移動速度区分別の品質統計値を通信種別毎に求める点で第２実施例とは異なる。
［構成の説明］
第３実施例の移動通信網の構成は、第２実施例と同様であるため、図３〜図５の符号を用いて説明する。【００４６】
［動作の説明］
第３実施例における品質監視装置９０の動作を図１０のフローチャートを参照して説明する。なお、ステップＳ１０１〜Ｓ１０３，Ｓ１０５の動作については第２実施例と同様なので、詳細な説明は省略する。【００４７】
本実施例の品質監視装置９０の品質分析部９０４は、移動速度区分別の品質統計値を求める際に、端末情報に含まれる通信種別情報を参照して、通信種別毎に移動速度区分別の品質統計値を求める（ステップＳ１１１）。例えば、品質分析部９０４は、通信種別が音声、パケット、ストリーミングなどに分類されているので、これらの通信種別毎に移動速度区分別の品質統計値を求める。【００４８】
以上のように、本発明の第３実施例では、移動速度区分別の品質統計値を通信種別毎に求めるため、異なるサービスレベルを要求される通信種別に応じた品質監視を行うことが可能となる。【００４９】
なお、第１実施例〜第３実施例における移動端末１，３０と品質監視装置４，９０の各々の構成のうち、少なくとも一部の構成は、ＣＰＵ、記憶装置および外部とのインタフェースを備えたコンピュータによって実現することができる。ＣＰＵは、記憶装置に格納されたプログラムに従って第１実施例〜第３実施例で説明したような処理を実行する。【００５０】
以上、上記実施例を参照して本発明を説明したが、本発明は、上記実施例だけに限定されるものではない。本発明の構成や詳細は、上記実施例を適宜組み合わせて用いてもよく、さらに本発明の請求の範囲内において、適宜変更することもできる。
この出願は、２００８年１１月１４日に出願された日本出願特願２００８−２９１８４１号を基礎とする優先権を主張し、その開示の内容を全てここに取り込む。
【産業上の利用可能性】
【００５１】
本発明は、無線通信網の品質監視システムに適用することができる。
【図１】
0005413372.tif 000002
【図２】
0005413372.tif 000003
【図３】
0005413372.tif 000004
【図４】
0005413372.tif 000005
【図５】
0005413372.tif 000006
【図６】
0005413372.tif 000007
【図７】
0005413372.tif 000008
【図８】
0005413372.tif 000009
【図９】
0005413372.tif 000010
【図１０】
0005413372.tif 000011